(57)【要約】【課題】  窓取付け型伸縮式緩降避難装置の提供。【解決手段】  上面、底面、正面框、背面框が組み合わされてなる避難装置であり、該避難装置は折り畳み、展開可能で、折り畳み時に窓枠内に位置決めされ、別に該避難装置がロープで吊り下げられ、窓枠から分離される時に展開されて避難に供され、動力或いは尽力でロープで避難装置を緩降させられ、並びに避難装置に二つのスライドロッドが設けられて外壁面の滑り溝内を緩降し、避難装置のぐらつきが防止される。これにより迅速に避難装置を展開して下降させて人を地面に運送でき、並びに避難装置は防犯用窓用格子として使用されうる。【選択図】        図１
0003109421.tif 000002
【実用新案登録請求の範囲】
【請求項１】
二つの上板が枢結されてなり二つ折り可能とされた上面と、
二つの底板が枢結されてなり二つ折り可能とされた底面と、
二つの框体が枢結されてなり二つ折り可能とされた両側の側框と、
複数のロッドが相互に組み合わされてなり開放及び閉合可能な外門框が所定位置に設けられて、周囲が上記上面、上記底面及び上記両側の側框と枢結された、正面框と、
複数のロッドが相互に組み合わされてなり開放及び閉合可能な内門框が所定位置に設けられて、周囲が上記上面、上記底面及び上記両側の側框と枢結された、背面框と、
背面框の両側に枢結されて、所定角度の張開と閉合可能であり、波形を呈して複数の突起部分を具えた、一対のスライドロッドと、
を具え、上面、底面、両側の側框により方形体に展開された避難装置が形成され、複数のロープが上面の所定位置に固定され、スライドロッドが壁面に接触し、動力により、或いは手でロープを引いて避難装置を緩降させられ、並びに折り畳んで避難装置を窓用格子となして窓枠内に位置決めできることを特徴とする、窓取付け型伸縮式緩降避難装置。
【請求項２】
請求項１記載の窓取付け型伸縮式緩降避難装置において、二つのスライドロッドが接触する壁面に二つのスライドレールが設けられ、該スライドレールは外側に凹部を具え、内側が外側より高いことを特徴とする、窓取付け型伸縮式緩降避難装置。
【請求項３】
請求項１記載の窓取付け型伸縮式緩降避難装置において、窓枠の底部に突出する底框が設けられ、底框で避難装置が窓枠内側に位置制限され、上框に複数の支持ロッドが設けられてロープが支持ロッドに通され、避難装置が吊掛けられたことを特徴とする、窓取付け型伸縮式緩降避難装置。
【考案の詳細な説明】
【技術分野】
【０００１】
本考案は窓用格子、避難器材に関係し、更に詳しくは、速やかに窓用格子を展開して避難器材となすことができる一種の伸縮式防火盗難防止緩降避難窓装置に関する。
【背景技術】
【０００２】
周知の窓用格子は防犯用の金属製品とされ、窓の外に取り付けられて泥棒が窓から侵入するのを防止する。すでに金属製の窓用格子を取り外して避難梯子として組み立てることができるようにし、屋内の人の避難に供するようにした技術が提供されている。しかし、窓用格子を取り外して更に避難梯子に組み立てるのにかかる時間は非常に長く、火災時に避難できる時間は往々にして一瞬であり、このためこのような窓用格子を組み立てた避難梯子は、その効果が明らかでなく、またこれをビルの避難梯子として利用しようとしても、その長さが不足し、このこともまた大きな問題である。
【考案の開示】
【考案が解決しようとする課題】
【０００３】
本考案は一種の窓取付け型伸縮式緩降避難装置を提供することを目的とし、それは、速やかに展開して避難装置とすることができ、並びに地面に緩降させられ、摩天楼、マンション、ビルに適用されるものとする。
【０００４】
本考案はまた一種の窓取付け型伸縮式緩降避難装置を提供することを目的とし、それは、速やかに折り畳んで場所をとらない防犯用の窓用格子とすることができるものとする。
【０００５】
本考案はまた一種の窓取付け型伸縮式緩降避難装置を提供することを目的とし、それは、避難装置の昇降過程中に、安定してぐらつかず、昇降時の安全と安定性を保持できるものとする。
【０００６】
本考案はまた一種の窓取付け型伸縮式緩降避難装置を提供することを目的とし、それは、避難装置が動力或いは人力のいずれによっても駆動されて昇降可能であるものとする。
【課題を解決するための手段】
【０００７】
請求項１の考案は、
二つの上板が枢結されてなり二つ折り可能とされた上面と、
二つの底板が枢結されてなり二つ折り可能とされた底面と、
二つの框体が枢結されてなり二つ折り可能とされた両側の側框と、
複数のロッドが相互に組み合わされてなり開放及び閉合可能な外門框が所定位置に設けられて、周囲が上記上面、上記底面及び上記両側の側框と枢結された、正面框と、
複数のロッドが相互に組み合わされてなり開放及び閉合可能な内門框が所定位置に設けられて、周囲が上記上面、上記底面及び上記両側の側框と枢結された、背面框と、
背面框の両側に枢結されて、所定角度の張開と閉合可能であり、波形を呈して複数の突起部分を具えた、一対のスライドロッドと、
を具え、上面、底面、両側の側框により方形体に展開された避難装置が形成され、複数のロープが上面の所定位置に固定され、スライドロッドが壁面に接触し、動力により、或いは手でロープを引いて避難装置を緩降させられ、並びに折り畳んで避難装置を窓用格子となして窓枠内に位置決めできることを特徴とする、窓取付け型伸縮式緩降避難装置としている。
請求項２の考案は、請求項１記載の窓取付け型伸縮式緩降避難装置において、二つのスライドロッドが接触する壁面に二つのスライドレールが設けられ、該スライドレールは外側に凹部を具え、内側が外側より高いことを特徴とする、窓取付け型伸縮式緩降避難装置としている。
請求項３の考案は、請求項１記載の窓取付け型伸縮式緩降避難装置において、窓枠の底部に突出する底框が設けられ、底框で避難装置が窓枠内側に位置制限され、上框に複数の支持ロッドが設けられてロープが支持ロッドに通され、避難装置が吊掛けられたことを特徴とする、窓取付け型伸縮式緩降避難装置としている。
【考案の効果】
【０００８】
本考案の窓取付け型伸縮式緩降避難装置は、上面、底面、正面框、背面框が組み合わされてなる避難装置であり、該避難装置は折り畳み、展開可能で、折り畳み時に窓枠内に位置決めされ、別に該避難装置がロープで吊り下げられ、窓枠から分離される時に展開されて避難に供され、動力或いは尽力でロープで避難装置を緩降させられ、並びに避難装置に二つのスライドロッドが設けられて外壁面の滑り溝内を緩降し、避難装置のぐらつきが防止される。これにより迅速に避難装置を展開して下降させて人を地面に運送でき、並びに避難装置は折り畳み時に窓枠に取り付けられて防犯用窓用格子として使用される。
【考案を実施するための最良の形態】
【０００９】
本考案の窓取付け型伸縮式緩降避難装置は、
二つの上板が枢結されて二つ折り可能とされた上面と、
二つの底板が枢結されて二つ折り可能とされた底面と、
二つの框体が枢結されて二つ折り可能とされた両側の側框と、
複数のロッドが相互に組み合わされてなり開放及び閉合可能な外門框が所定位置に設けられて、周囲が上記上面、上記底面及び上記両側の側框と枢結された、正面框と、
複数のロッドが相互に組み合わされてなり開放及び閉合可能な内門框が所定位置に設けられて、周囲が上記上面、上記底面及び上記両側の側框と枢結された、背面框と、
背面框の両側に枢結されて、所定角度の張開と閉合可能であり、波形を呈して複数の突起部分を具えた、一対のスライドロッドと、
を具え、上面、底面、両側の側框により方形体に展開された避難装置が形成され、複数のロープが上面の所定位置に固定され、スライドロッドが壁面に接触し、動力により、或いは手でロープを引いて避難装置を緩降させられ、並びに折り畳んで避難装置を窓用格子となして窓枠内に位置決めできることを特徴としている。
【実施例１】
【００１０】
図１、２、３に示されるように、本考案は窓用格子を展開して形成される避難装置１０であり、該避難装置１０は、上面１１、底面１２、二つの側框１３、正面框１４、背面框１５、及び一対のスライドロッド１６を具え、該上面１１は二つの長方形の上板１１１が相互に枢接されて下向きに折り曲げ可能とされている。底面１２もまた二つの長方形の底板１２１が相互に枢接されて上向きに折り曲げ可能とされている。側框１３は二つの框体１３１が相互に枢接されて内向きに折り曲げ可能とされている。該正面框１４は複数のロッド１４１が相互に結合されてなり、その中間位置に外門框１４２が設けられ、外門框１４２は正面框１４の一つのロッド１４１に枢接されて開放或いは閉合可能とされ、該外門框１４２の周囲が上面１１、底面１２及び二つの側框１３と相互に枢接されている。該背面框１５は複数のロッド１５１が相互に結合されてなり、その中間位置に内門框１５２が設けられ、内門框１５２は背面框１５の一つのロッド１５１に枢接されて開放或いは閉合可能とされている。該一対のスライドロッド１６は背面框１５の上部と下部に枢接され（図６）、所定角度に張開し、及び折り畳み動作が可能で、壁面２０の窓枠２１に位置し、底辺の底框２１１と上部の二つの支持ロッド２２を具え、該底框２１１はやや突出して避難装置１０の位置を制限し、支持ロッド２２は外に突出し、並びにロープ２３が通される（図３、１１）。該ロープ２３の末端は上面１１に固定され、且つロープ２３は動力モータにより駆動されるか、或いは折り曲げられた手動レバーを回して駆動され、該モータは予備電池に接続され、モータはリモートコントローラで操作可能である。該壁面２０の窓枠２１下方の両側には凹んだスライドレール２４が設けられ、該スライドレール２４は図８のように、外側に内側より低い凹部２４１を具え、該凹部２４１がスライドロッド１６の挿入位置決めに供され、スライドロッド１６が張開後に凹部２４１に挿入されて安定し、これにより避難装置１０を安定させてぐらつかせず、且つスライドロッド１６は波状を呈し、二つの突起を有する。
【００１１】
上述の構造を組合せてなる本考案の窓取付け型伸縮式緩降避難装置は、図９、１０に示されるように、折り畳み時に窓枠２１内に吊掛けられ、並びに底框２１１に位置を制限され、ロープ２３で避難装置１０が引っ張られて避難装置１０が位置決めされて不動とされ、即ち防犯用の窓用格子として使用される。避難装置１０を展開する前には、ロープ２３を駆動して上昇させて避難装置１０をやや上に移動させて窓枠２１の底框２１１による制限より離脱させる必要があり（図１１）、その後、二つのスライドロッド１６を閉合状態より展開し（図５）、更に避難装置１０を小距離下降させ、その後、避難装置１０の重力により、ロープ２３で上面１１を吊り、避難装置１０を僅かに展開させる。内門框１５２を開けば人が避難装置１０内に進入でき、人体重量を底面１２にかけることで、完全に避難装置１０を展開することができる（図４、７）。更にロープ２３を駆動して避難装置１０を下降させると、二つのスライドロッド１６が壁面のスライドレール２４に沿って下降し、避難装置１０が平穏に二つのスライドレール２４の間に位置制限されてぐらつかず（図３）、ビルの強風の部分にあっても、相当の安定壊死を保持して緩降でき、随意にぐらつかない。避難装置１０及び人が地面に到着した時、救急隊員が避難装置１０の外門框１４２を開けて人を外に避難させ、更に避難装置１０を上昇させて次の人を避難させる。
【００１２】
本考案を折り畳む時は、両側の側框１３を内向きに押せば避難装置１０を折り畳んで閉合状態とすることができ、折り畳み後の避難装置１０を窓枠２１の底框２１１で位置制限し、ロープ２３で避難装置１０の上面１１を引っ張れば、避難装置１０を安定して窓枠２１内に取り付けることができ、これにより避難装置１０が防犯用の窓用格子として使用され、場所をとらないものとされる。
【００１３】
本考案の避難装置１０の展開の時間は短く（約３０秒）、ねじ回し及びその他の手動工具で部品を取り外す必要がなく、停電時には手動レバーを回してロープを駆動して避難装置１０を下降させることができ、また予備電池でモータを駆動してロープを駆動することもできる。またモータはリモートコントローラで駆動することもでき、子供でも操作でき、且つ避難装置１０は緩降し安定してぐらつかない。このように本考案の避難装置は短時間で展開操作できるほか、安全性を有し、避難者を迅速に現場より避難させることができる。また、避難装置１０を使用しない時は折り畳んで体積を縮小でき、防犯用の窓用格子として使用でき、外観を損なわない。
【００１４】
総合すると、本考案の窓取付け型伸縮式緩降避難装置は新規性、進歩性、実用性を具え、実用新案登録の要件を具えた考案である。
【図面の簡単な説明】
【００１５】
【図１】本考案の立体展開組合せ図である。
【図２】本考案の立体折り畳み表示図である。
【図３】本考案の緩降動作立体表示図である。
【図４】本考案の内門框、外門框の開放表示図である。
【図５】本考案のスライドロッドを所定角度に展開する表示図である。
【図６】本考案のスライドレールの背面框との枢接の断面表示図である。
【図７】本考案のスライドロッドの壁面のスライドレールとの組合せの表示図である。
【図８】本考案のスライドロッドの壁面のスライドレールとの組合せの断面図である。
【図９】本考案の避難装置が折り畳まれて窓枠に取り付けられた状態の立体図である。
【図１０】本考案の避難装置が折り畳まれて窓枠に取り付けられた状態の側面図である。
【図１１】本考案の避難装置が窓枠より取り外されて下降する側面図である。
【符号の説明】
【００１６】
１０  避難装置                １５  背面框
１１  上面                    １５１  ロッド
１１１  上板                  １５２  内門框
１２  底面                    １６  スライドロッド
１２１  底板                  ２０  壁面
１３  側框                    ２１  窓枠
１３１  框体                  ２１１  底框
１４  正面框                  ２２  支持ロッド
１４１  ロッド                ２３  ロープ
１４２  外門框                ２４  スライドレール
２４１  凹部
【図１】
0003109421.tif 000003
【図２】
0003109421.tif 000004
【図３】
0003109421.tif 000005
【図４】
0003109421.tif 000006
【図５】
0003109421.tif 000007
【図６】
0003109421.tif 000008
【図７】
0003109421.tif 000009
【図８】
0003109421.tif 000010
【図９】
0003109421.tif 000011
【図１０】
0003109421.tif 000012
【図１１】
0003109421.tif 000013